(57)【要約】【課題】可撓性を有する放射線変換パネルにおいて、該放射線変換パネルを積層させて保管する場合に検出面を確実に保護する。【解決手段】放射線検出カセッテ１０において、可撓性を有するスクリーン３０は、同じく可撓性を有するグリッド３４、センサ基板３６及び鉛シート３８と、放射線の照射される照射面４０とは反対側の面４２に設けられる保護シート４４とを備え、該保護シート４４は、例えば、不織布から可撓性を有したシート状に形成される。そして、放射線検出カセッテ１０を重ね合わせて保管する際、該保護シート４４が下側となる別の放射線検出カセッテ１０ａの照射面４０を傷つけることが回避される。【選択図】図６
2010078414.tif 000002
【特許請求の範囲】
【請求項１】
被写体を透過した放射線を検出して放射線画像情報に変換し、且つ、可撓性を有する放射線変換パネルにおいて、
前記放射線が照射される照射面とは反対側の面に、前記照射面に対して摩擦係数の小さく設定された保護部を備えることを特徴とする放射線検出装置。
【請求項２】
請求項１記載の装置において、
前記放射線変換パネルは、可撓性を有したスクリーンに内蔵され、該スクリーンには、前記照射面と反対側となる面に、前記保護部が設けられることを特徴とする放射線検出装置。
【請求項３】
請求項２記載の装置において、
前記保護部は、シート状に形成された不織布からなることを特徴とする放射線検出装置。
【請求項４】
請求項２又は３記載の装置において、
前記放射線変換パネルは、前記放射線を電気信号に変換するセンサ基板を有し、前記センサ基板が、前記放射線を可視光に変換するシンチレータと、前記可視光を前記電気信号に変換する固体検出素子とからなることを特徴とする放射線検出装置。
【請求項５】
請求項４記載の装置において、
前記被写体に対して、前記固体検出素子及び前記シンチレータの順に配置されているか、あるいは、前記シンチレータ及び前記固体検出素子の順に配置されていることを特徴とする放射線検出装置。
【請求項６】
請求項１〜５のいずれか１項に記載の装置において、
外部と無線通信が可能な無線通信手段と、前記放射線変換パネルを制御する制御部と、前記放射線変換パネル、前記制御部及び前記無線通信手段を駆動するバッテリとが設けられることを特徴とする放射線検出装置。
【請求項７】
請求項１〜６のいずれか１項に記載の装置において、
前記放射線検出装置は、放射線検出カセッテであり、
前記スクリーンは、前記放射線を透過させる材料からなることを特徴とする放射線検出装置。
【請求項８】
請求項１〜７のいずれか１項に記載の放射線検出装置と、前記放射線を出力する放射線源と、前記放射線源及び前記放射線検出装置を制御する制御装置とを有することを特徴とする放射線画像撮影システム。
【請求項９】
請求項８記載のシステムにおいて、
前記放射線検出装置は、前記放射線変換パネルにて変換された前記放射線画像情報を、無線通信により前記制御装置に送信することを特徴とする放射線画像撮影システム。
【発明の詳細な説明】
【技術分野】
【０００１】
本発明は、被写体を透過した放射線を検出し、検出した前記放射線を放射線画像情報に変換する放射線変換パネルを備えた放射線検出装置及び該放射線検出装置を有する放射線画像撮影システムに関する。
【背景技術】
【０００２】
医療分野において、被写体に放射線を照射し、該被写体を透過した前記放射線を放射線変換パネルに導いて放射線画像情報を撮影する放射線画像撮影システムが広汎に使用されている。前記放射線変換パネルとしては、前記放射線画像情報が露光記録される従来からの放射線フイルムや、蛍光体に前記放射線画像情報としての放射線エネルギを蓄積し、励起光を照射することで前記放射線画像情報を輝尽発光光として取り出すことのできる蓄積性蛍光体パネルが知られている。
【０００３】
これらの放射線変換パネルは、前記放射線画像情報が記録された放射線フイルムを現像装置に供給して現像処理を行い、あるいは、前記蓄積性蛍光体パネルを読取装置に供給して読取処理を行うことで、可視画像を得ることができる。
【０００４】
一方、手術室等においては、患者に対して迅速且つ的確な処置を施すため、撮影後の放射線変換パネルから直ちに放射線画像情報を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００５】
放射線検出器（放射線変換パネル）を収納する放射線検出装置に関し、特許文献１には、可撓性を有する放射線検出器を患者の表面形状に合わせて配置することが提案されている。
【０００６】
また、特許文献２には、筐体の内部に設けられたシンチレータが保護樹脂層によって覆われた放射線検出器が開示されている。この保護樹脂層は、シンチレータの上面側を覆うように設けられるため、検出面となるシンチレータに対して付与される外力から保護することができる。
【０００７】
【特許文献１】特開２００３−７０７７６号公報
【特許文献２】特開２００６−３３７１８４号公報
【発明の開示】
【発明が解決しようとする課題】
【０００８】
しかしながら、特許文献２に係る従来技術においては、このような放射線検出器を保管する際、該放射線検出器同士を積層することが想定されるが、保護樹脂層の上部側に重ね合わせた別の放射線検出器によって該保護樹脂層に傷等が生じてしまう懸念があり、この場合、傷等に起因した散乱が生じて放射線画像にノイズが発生するという問題がある。
【０００９】
本発明は、前記の課題に鑑みなされたものであり、可撓性を有する放射線変換パネルにおいて、該放射線変換パネルを積層させて保管する場合に検出面を確実に保護することが可能な放射線検出装置及び放射線画像撮影システムを提供することを目的とする。
【課題を解決するための手段】
【００１０】
前記の目的を達成するために、本発明は、被写体を透過した放射線を検出して放射線画像情報に変換し、且つ、可撓性を有する放射線変換パネルにおいて、
前記放射線が照射される照射面とは反対側の面に、前記照射面に対して摩擦係数の小さく設定された保護部を備えることを特徴とする。
【００１１】
本発明によれば、可撓性を有した放射線変換パネルにおいて、被写体を間として放射線の照射される照射面とは反対側の面に、該照射面に対して摩擦係数が小さく設定された保護部を設けることにより、例えば、放射線画像の撮影前や撮影後に、複数の放射線検出装置を積層させて保管する場合でも、該放射線検出装置において照射面とは反対側に設けられ、摩擦係数の小さく設定された保護部が、隣り合う別の放射線検出装置の照射面に当接することとなるため、該照射面が積層された放射線検出装置によって傷つけられることが防止される。その結果、照射面が確実に保護された状態で複数の放射線検出装置を積層させて保管することができる。
【発明の効果】
【００１２】
本発明によれば、以下の効果が得られる。
【００１３】
すなわち、可撓性を有する放射線変換パネルにおいて、放射線の照射される照射面とは反対側の面に設けられ、該照射面に対して摩擦係数の小さな保護部を設けることにより、複数の放射線検出装置を積層させて保管する際、照射面とは反対側となる摩擦係数の小さな保護部が、隣り合う別の放射線検出装置の照射面に当接することとなるため、該照射面が積層された放射線検出装置によって傷つけられることが確実に防止される。
【発明を実施するための最良の形態】
【００１４】
図１は、本実施の形態に係る放射線検出装置（以下、放射線検出カセッテともいう。）１０を適用した放射線画像撮影システム１２の構成ブロック図である。
【００１５】
放射線画像撮影システム１２は、撮影条件に従った線量からなる放射線１４を被写体としての患者１６に照射するための放射線源１８と、患者１６を透過した放射線１４を検出する放射線検出器（放射線変換パネル）２０を備える放射線検出カセッテ１０と、放射線検出器２０によって検出された放射線１４に基づく放射線画像情報を表示する表示装置２２と、放射線検出カセッテ１０、放射線源１８及び表示装置２２を制御するコンソール（制御装置）２４とを備える。このコンソール２４と、放射線検出カセッテ１０、放射線源１８及び表示装置２２との間は、例えば、ＵＷＢ（Ｕｌｔｒａ  Ｗｉｄｅ  Ｂａｎｄ）、ＩＥＥＥ８０２．１１．ａ／ｇ／ｎ等の無線ＬＡＮ又はミリ波を用いた無線通信による信号の送受信が行われる。
【００１６】
なお、コンソール２４には、病院内の放射線科において取り扱われる放射線画像情報やその他の情報を統括的に管理する放射線科情報システム（ＲＩＳ）２６が接続され、また、ＲＩＳ２６には、病院内の医事情報を統括的に管理する医事情報システム（ＨＩＳ）２８が接続される。
【００１７】
図２〜図５に示すシート状の放射線検出カセッテ１０において、放射線１４を透過させる材料からなる筐体としてのスクリーン３０は、可撓性を有し、患者１６に対する放射線１４の非照射時（非撮影時）には、例えば、複数枚を積層させて保管箱３２（図６参照）に収納され、一方で、患者１６に対する放射線１４の照射時（撮影時）に患者１６に対して略平面状に展開される（図３及び図４参照）。
【００１８】
このスクリーン３０は、例えば、可撓性を有する樹脂であるポリエチレン（ＰＥ）、ポリエチレンテレフタレート（ＰＥＴ）、ポリ塩化ビニル（ＰＶＣ）、ポリ塩化ビニリデン（ＰＤＶＣ）、ポリ乳酸（ＰＬＡ）、ポリプロピレン（ＰＰ）、ポリアミド（ＰＡ）、ポリカーボネート（ＰＣ）、ポリテトラフルオロエチレン（ＰＴＦＥ）、ポリウレタン（ＰＵ）、ポリスチレン（ＰＳ）、ポリエステル、ＡＢＳ樹脂（ＡＢＳ）、アクリル樹脂（ＰＭＭＡ）、ポリアセタール樹脂（ＰＯＭ）や、薄厚状の金属であるアルミニウム、酸化アルミ、ステンレス等で形成される。
【００１９】
スクリーン３０の内部には、患者１６による放射線１４の散乱線を除去するグリッド３４、患者１６を透過した放射線１４を検出する放射線検出器２０を構成するセンサ基板３６、及び、放射線１４のバック散乱線を吸収する鉛シート３８が、患者１６側の照射面（撮影面）４０に対して順に配設される。なお、これらグリッド３４、放射線検出器２０及び鉛シート３８も可撓性を有する。また、スクリーン３０の照射面４０をグリッド３４として構成してもよい。
【００２０】
一方、スクリーン３０には、患者１６側となる照射面４０とは反対側の面４２に保護シート（保護部）４４が装着される。この保護シート４４は、例えば、不織布からなり所定厚さを有し、且つ、可撓性を有したシート状に形成され、前記スクリーン３０の面４２に対して貼着される。詳細には、保護シート４４は、ガラス繊維、ナイロン繊維等の繊維を織ることなく絡み合わせて形成される。
【００２１】
また、保護シート４４は、スクリーン３０の面４２を全体的に覆うように設けられ、その摩擦係数が前記スクリーン３０の摩擦係数より小さく設定される。
【００２２】
図５に示すように、センサ基板３６は、患者１６を透過した放射線１４を一旦可視光に変換するＧＯＳ（Ｇｄ2Ｏ2Ｓ）又はＣｓＩ等の蛍光体からなるシンチレータ４６と、薄膜トランジスタ（ＴＦＴ：Ｔｈｉｎ  Ｆｉｌｍ  Ｔｒａｎｓｉｓｔｏｒ）４８（図７参照）のアレイが形成され、放射線１４及び可視光を透過可能なＴＦＴ層５０と、アモルファスシリコン（ａ−Ｓｉ）等の物質からなる固体検出素子（以下、画素ともいう。）５２を用いて前記可視光を電気信号に変換する光電変換層５４とを、基板５５上に順に積層することにより形成される。
【００２３】
また、スクリーン３０の内部には、図３に示すように、放射線検出カセッテ１０の電源であるバッテリ５６と、バッテリ５６から供給される電力により放射線検出器２０を駆動制御するカセッテ制御部５８と、放射線検出器２０によって検出した放射線１４の情報を含む信号をコンソール２４との間で送受信する送受信機（無線通信手段）６０とが収容される。
【００２４】
なお、カセッテ制御部５８及び送受信機６０には、放射線１４が照射されることによる損傷を回避するため、スクリーン３０の照射面４０側に鉛板等を配設しておくことが好ましい。また、バッテリ５６は、放射線検出カセッテ１０内の放射線検出器２０、カセッテ制御部５８及び送受信機６０に電力を供給する。
【００２５】
図７は、放射線検出器２０の回路構成ブロック図である。放射線検出器２０は、可視光を電気信号に変換するａ−Ｓｉ等の物質からなる各画素５２が形成された光電変換層５４を、行列状のＴＦＴ４８のアレイ（ＴＦＴ層５０）の上に配置した構造を有する。この場合、各画素５２では、可視光を電気信号に変換することにより発生した電荷が蓄積され、各行毎にＴＦＴ４８を順次オンにすることにより前記電荷を画像信号として読み出すことができる。
【００２６】
各画素５２に接続されるＴＦＴ４８には、行方向と平行に延びるゲート線６２と、列方向と平行に延びる信号線６４とが接続される。各ゲート線６２は、ライン走査駆動部６６に接続され、各信号線６４は、マルチプレクサ６８に接続される。ゲート線６２には、行方向に配列されたＴＦＴ４８をオンオフ制御する制御信号Ｖｏｎ、Ｖｏｆｆがライン走査駆動部６６から供給される。この場合、ライン走査駆動部６６は、ゲート線６２を切り替える複数のスイッチＳＷ１と、スイッチＳＷ１の１つを選択する選択信号を出力するアドレスデコーダ７０とを備える。アドレスデコーダ７０には、カセッテ制御部５８からアドレス信号が供給される。
【００２７】
また、信号線６４には、列方向に配列されたＴＦＴ４８を介して各画素５２に保持されている電荷が流出する。この電荷は、増幅器７２によって増幅される。増幅器７２には、サンプルホールド回路７４を介してマルチプレクサ６８が接続される。マルチプレクサ６８は、信号線６４を切り替える複数のスイッチＳＷ２と、スイッチＳＷ２の１つを選択する選択信号を出力するアドレスデコーダ７６とを備える。アドレスデコーダ７６には、カセッテ制御部５８からアドレス信号が供給される。マルチプレクサ６８には、Ａ／Ｄ変換器７８が接続され、Ａ／Ｄ変換器７８によってデジタル信号に変換された放射線画像情報がカセッテ制御部５８に供給される。なお、増幅器７２、サンプルホールド回路７４、マルチプレクサ６８及びＡ／Ｄ変換器７８は、読出回路部８０を構成する。
【００２８】
さらに、放射線検出カセッテ１０のカセッテ制御部５８は、図１に示すように、アドレス信号発生部８２と、画像メモリ８４と、カセッテＩＤメモリ８６とを備える。
【００２９】
アドレス信号発生部８２は、放射線検出器２０を構成するライン走査駆動部６６のアドレスデコーダ７０及びマルチプレクサ６８のアドレスデコーダ７６に対してアドレス信号を供給する。画像メモリ８４は、放射線検出器２０によって検出された放射線画像情報を記憶する。カセッテＩＤメモリ８６は、放射線検出カセッテ１０を特定するためのカセッテＩＤ情報を記憶する。
【００３０】
送受信機６０は、カセッテＩＤメモリ８６に記憶されたカセッテＩＤ情報及び画像メモリ８４に記憶された放射線画像情報を無線通信によりコンソール２４に送信する。
【００３１】
本実施の形態に係る放射線検出カセッテ１０及び放射線画像撮影システム１２は、基本的には以上のように構成されるものであり、次にその動作について説明する。
【００３２】
撮影対象である患者１６の患者情報は、撮影に先立ち、コンソール２４に予め登録される。撮影部位や撮影方法が予め決まっている場合には、これらの撮影条件も予め登録しておく。
【００３３】
手術室、検診又は病院内での回診等において、放射線画像情報の撮影を行う場合、医師又は放射線技師は、例えば、保管箱３２から未使用の放射線検出カセッテ１０を１枚取り出し、例えば、患者１６とベッドとの間の所定位置に、照射面４０を放射線源１８側とした状態で放射線検出カセッテ１０を設置する。
【００３４】
次に、放射線源１８を放射線検出カセッテ１０に対向する位置に適宜移動させた後、医師又は放射線技師は、放射線源１８の撮影スイッチを操作して撮影を行う。前記撮影スイッチの操作に起因して、放射線源１８は、無線通信により、コンソール２４に対して撮影条件の送信を要求し、コンソール２４は、受信した前記要求に基づいて、当該患者１６の撮影部位に係る撮影条件を、放射線源１８に送信する。放射線源１８は、前記撮影条件を受信すると、当該撮影条件に従って、所定の線量からなる放射線１４を患者１６に照射する。
【００３５】
患者１６を透過した放射線１４は、放射線検出カセッテ１０のグリッド３４によって散乱線が除去された後、放射線検出器２０に照射される。放射線検出器２０を構成するシンチレータ４６は、放射線１４の強度に応じた強度の可視光を発光し、光電変換層５４を構成する各画素５２は、可視光を電気信号に変換し、電荷として蓄積する。次いで、各画素５２に保持された患者１６の放射線画像情報である電荷情報は、カセッテ制御部５８を構成するアドレス信号発生部８２からライン走査駆動部６６及びマルチプレクサ６８に供給されるアドレス信号に従って読み出される。
【００３６】
すなわち、ライン走査駆動部６６のアドレスデコーダ７０は、アドレス信号発生部８２から供給されるアドレス信号に従って選択信号を出力してスイッチＳＷ１の１つを選択し、対応するゲート線６２に接続されたＴＦＴ４８のゲートに制御信号Ｖｏｎを供給する。一方、マルチプレクサ６８のアドレスデコーダ７６は、アドレス信号発生部８２から供給されるアドレス信号に従って選択信号を出力してスイッチＳＷ２を順次切り替え、ライン走査駆動部６６によって選択されたゲート線６２に接続された各画素５２に保持された電荷情報である放射線画像情報を信号線６４を介して順次読み出す。
【００３７】
放射線検出器２０の選択されたゲート線６２に接続された各画素５２から読み出された放射線画像情報は、各増幅器７２によって増幅された後、各サンプルホールド回路７４によってサンプリングされ、マルチプレクサ６８を介してＡ／Ｄ変換器７８に供給され、デジタル信号に変換される。デジタル信号に変換された放射線画像情報は、カセッテ制御部５８の画像メモリ８４に一旦記憶される。
【００３８】
同様にして、ライン走査駆動部６６のアドレスデコーダ７０は、アドレス信号発生部８２から供給されるアドレス信号に従ってスイッチＳＷ１を順次切り替え、各ゲート線６２に接続されている各画素５２に保持された電荷情報である放射線画像情報を信号線６４を介して読み出し、マルチプレクサ６８及びＡ／Ｄ変換器７８を介してカセッテ制御部５８の画像メモリ８４に記憶させる。
【００３９】
画像メモリ８４に記憶された放射線画像情報は、送受信機６０を介して、無線通信によりコンソール２４に送信される。コンソール２４は、受信した放射線画像情報に対して所定の画像処理を施した後、登録されている患者１６の患者情報と関連付けて該放射線画像情報を記憶する。なお、画像処理の施された放射線画像情報は、コンソール２４から表示装置２２に送信され、表示装置２２は、放射線画像情報を表示する。
【００４０】
そして、図６に示されるように、患者１６に対する撮影の完了後、この放射線検出カセッテ１０を、別の放射線検出カセッテ１０ａ、１０ｂが収容された保管箱３２の内部に収容する。この際、放射線検出カセッテ１０は、例えば、保管箱３２において収容されている別の放射線検出カセッテ１０ａの上部に積み重ねるように収容されるが、新たに収容される放射線検出カセッテ１０の下面には、不織布からなる保護シート４４が設けられているため、該放射線検出カセッテ１０の下側となる別の放射線検出カセッテ１０ａの照射面４０を傷つけることなく積層された状態で保管される。
【００４１】
なお、放射線検出カセッテ１０を、患者１６に対する撮影前に保管箱３２に収容しておく場合にも、その下方に収容されている別の放射線検出カセッテにおける照射面を傷つけることが防止される。
【００４２】
以上のように、本実施の形態では、放射線検出カセッテ１０を構成するスクリーン３０において、放射線１４の照射される照射面４０とは反対側の面４２（下面）に保護シート４４を設け、該保護シート４４を、例えば、不織布から形成することにより、複数の放射線検出カセッテ１０、１０ａ、１０ｂを上下方向に積層させて収容した場合でも、放射線検出カセッテ１０、１０ａの照射面４０が隣り合う別の放射線検出カセッテ１０ａ、１０ｂによって傷つけられることが確実に防止される。すなわち、放射線検出カセッテ１０、１０ａの保護シート４４は、該放射線検出カセッテ１０、１０ａを積層させた際に、隣り合うように載置された別の放射線検出カセッテ１０ａ、１０ｂにおける照射面４０を保護可能に設けられている。
【００４３】
その結果、複数の放射線検出カセッテ１０、１０ａ、１０ｂを積層させて保管することが可能となり、該放射線検出カセッテ１０、１０ａ、１０ｂを限られたスペースで収容することができる。
【００４４】
また、保護シート４４は、スクリーン３０における照射面４０とは反対側となる面４２のみに設けられているため、前記スクリーン３０で放射線画像の撮影を行う際、放射線１４の照射の妨げとなることがなく、前記保護シート４４によって放射線画像に影響を与えることが回避される。その結果、放射線１４の散乱を生じることがなく、ノイズの発生等が回避された鮮明な放射線画像を得ることが可能となる。
【００４５】
さらに、スクリーン３０に対して保護シート４４を設けることなく、該スクリーン３０における照射面４０とは反対側の面４２を、該照射面４０に対して摩擦係数の小さな材質で形成するようにしてもよいし、前記面４２を摩擦抵抗の小さい材質でコーティングするようにしてもよい。
【００４６】
さらにまた、本実施の形態の放射線画像撮影システム１２では、コンソール２４と、放射線検出カセッテ１０、放射線源１８及び表示装置２２との間で、無線通信により信号の送受信が行われるので、信号を送受信するためのケーブルが不要となり、医師又は放射線技師の作業に支障を来すおそれがない。従って、医師又は放射線技師は、自己の作業を効率よく行うことが可能となる。
【００４７】
またさらに、本実施の形態では、医師又は放射線技師による放射線源１８の撮影スイッチの操作に起因して放射線画像情報の撮影が行われるが、医師又は放射線技師によるコンソール２４の操作に起因して放射線画像情報の撮影が行われるようにしてもよい。
【００４８】
また、本実施の形態では、放射線検出カセッテ１０を図８の構成に代えてもよい。図８では、基板５５から照射面４０側に向かって、ＴＦＴ層５０、光電変換層５４及びシンチレータ４６の順に積層されている。この場合でも、シンチレータ４６で変換された可視光を光電変換層５４にて電気信号に変換することが可能であるので、上述した各効果が得られることは勿論である。
【００４９】
さらに、本実施の形態では、上述した構成に代えて、例えば、入射した放射線１４の線量をアモルファスセレン（ａ−Ｓｅ）等の物質からなる固体検出素子を用いた光電変換層５４によって直接電気信号に変換してもよい。
【００５０】
また、光変換方式の放射線検出器を利用して放射線画像情報を取得することもできる。この光変換方式の放射線検出器では、マトリクス状に配列された各固体検出素子に放射線１４が入射すると、その線量に応じた静電潜像が固体検出素子に蓄積記録される。静電潜像を読み取る際には、放射線検出器に可撓性を有する有機ＥＬ（Ｅｌｅｃｔｒｏ−Ｌｕｍｉｎｅｓｃｅｎｃｅ）パネル等から読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【００５１】
さらにまた、本実施の形態では、蛍光体に放射線画像情報としての放射線エネルギを蓄積し、励起光を照射することで前記放射線画像情報を輝尽発光光として取り出すことのできる蓄積性蛍光体パネルを、可撓性を有する放射線変換パネルとして構成してもよい。
【００５２】
またさらに、放射線検出カセッテ１０は、手術室等で使用されるとき、血液やその他の雑菌が付着するおそれがある。そこで、放射線検出カセッテ１０を防水性、密閉性を有する構造とし、必要に応じて殺菌洗浄することにより、１つの放射線検出カセッテ１０を繰り返し続けて使用することができる。
【００５３】
また、放射線検出カセッテ１０と外部機器との間での無線通信は、通常の電波による通信に代えて、赤外線等を用いた光無線通信で行うようにしてもよい。
【００５４】
さらに、図９に示すように放射線検出カセッテ５００を構成すると、一層好適である。
【００５５】
すなわち、放射線検出カセッテ５００には、スクリーン５０２の照射面４０側に、撮影領域及び撮影位置の基準となるガイド線５０４が形成される。このガイド線５０４を用いて、放射線検出カセッテ５００に対する被写体（患者１６）の位置決めを行い、また、放射線１４の照射範囲を設定することにより、放射線画像情報を適切な撮影領域に記録することができる。
【００５６】
放射線検出カセッテ５００の撮影領域外の部位には、当該放射線検出カセッテ５００に係る各種情報を表示する表示部５０６を配設する。この表示部５０６には、放射線検出カセッテ５００に記録される患者１６のＩＤ情報、放射線検出カセッテ５００の使用回数、累積曝射線量、放射線検出カセッテ５００に内蔵されているバッテリ５６の充電状態（残容量）、放射線画像情報の撮影条件、患者１６の放射線検出カセッテ５００に対するポジショニング画像等を表示させる。
【００５７】
この場合、放射線技師は、例えば、表示部５０６に表示されたＩＤ情報に従って患者１６を確認すると共に、当該放射線検出カセッテ５００が使用可能な状態にあることを事前に確認し、表示されたポジショニング画像に基づいて患者１６の所望の撮影部位を放射線検出カセッテ５００に位置決めして、最適な放射線画像情報の撮影を行うことができる。
【００５８】
また、スクリーン５０２に孔５０８を形成し、この孔５０８に図示しない紐を通して結ぶことにより、当該放射線検出カセッテ５００の取り扱い、持ち運びが容易になる。
【００５９】
さらに、ＡＣアダプタの入力端子５１０と、ＵＳＢ（Ｕｎｉｖｅｒｓａｌ  Ｓｅｒｉａｌ  Ｂｕｓ）端子５１２と、メモリカード５１４を装填するためのカードスロット５１６とを配設すると好適である。
【００６０】
入力端子５１０は、放射線検出カセッテ５００に内蔵されているバッテリ５６の充電機能が低下しているとき、あるいは、バッテリ５６を充電するのに十分な時間を確保できないとき、ＡＣアダプタを接続して外部から電力を供給することにより、当該放射線検出カセッテ５００を直ちに使用可能な状態とすることができる。
【００６１】
ＵＳＢ端子５１２又はカードスロット５１６は、放射線検出カセッテ５００がコンソール２４等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００６２】
また、手術室や病院内の必要な箇所には、図１０に示すように、放射線検出カセッテ１０に内蔵されるバッテリ５６の充電を行うクレードル５１８を配置すると好適である。この場合、クレードル５１８は、バッテリ５６を充電するだけでなく、クレードル５１８の無線通信機能又は有線通信機能を用いて、ＲＩＳ２６、ＨＩＳ２８、コンソール２４等の外部機器との間で必要な情報の送受信を行うようにしてもよい。送受信する情報には、クレードル５１８に充電される放射線検出カセッテ１０に記録された放射線画像情報を含めることができる。
【００６３】
また、クレードル５１８に表示部５２０を配設し、この表示部５２０に対して、当該放射線検出カセッテ１０の充電状態や、放射線検出カセッテ１０から取得した放射線画像情報を含む必要な情報を表示させるようにしてもよい。
【００６４】
また、複数のクレードル５１８をネットワークに接続し、各クレードル５１８に充電されている放射線検出カセッテ１０の充電状態をネットワークを介して収集し、使用可能な充電状態にある放射線検出カセッテ１０の所在を確認できるように構成することもできる。
【００６５】
なお、本発明に係る放射線検出装置及び放射線画像撮影システムは、上述の実施の形態に限らず、本発明の要旨を逸脱することなく、種々の構成を採り得ることは勿論である。
【図面の簡単な説明】
【００６６】
【図１】本実施の形態に係る放射線画像撮影システムの構成ブロック図である。
【図２】図２Ａ及び図２Ｂは、図１の放射線検出装置の斜視図である。
【図３】図１の放射線検出装置の一部省略斜視図である。
【図４】図３のＩＶ−ＩＶ線に沿った断面図である。
【図５】図３のＶ−Ｖ線に沿った断面図である。
【図６】図２に示す複数の放射線検出装置が内部に収容された保管箱の一部省略正面図である。
【図７】図１の放射線検出器の回路構成ブロック図である。
【図８】図３のＶＩＩＩ−ＶＩＩＩ線に沿った断面図である。
【図９】放射線検出カセッテの他の構成図である。
【図１０】放射線検出カセッテの充電を行うクレードルの構成図である。
【符号の説明】
【００６７】
１０…放射線検出装置                １２…放射線画像撮影システム
１４…放射線                        １８…放射線源
２０…放射線検出器                  ２４…コンソール
３０…スクリーン                    ３２…保管箱
３４…グリッド                      ３６…センサ基板
３８…鉛シート                      ４０…照射面
４２…面                            ４４…保護シート
４６…シンチレータ                  ５０…ＴＦＴ層
５４…光電変換層                    ５６…バッテリ
５８…カセッテ制御部                ６０…送受信機
【図１】
2010078414.tif 000003
【図２】
2010078414.tif 000004
【図３】
2010078414.tif 000005
【図４】
2010078414.tif 000006
【図５】
2010078414.tif 000007
【図６】
2010078414.tif 000008
【図７】
2010078414.tif 000009
【図８】
2010078414.tif 000010
【図９】
2010078414.tif 000011
【図１０】
2010078414.tif 000012